(57)【特許請求の範囲】
【請求項１】
コンテンツを視聴するために入力された、ユーザに関する情報であるユーザ情報を取得するユーザ情報取得部と、
上記コンテンツを提供するコンテンツ提供端末を特定する端末特定情報を取得する端末特定情報取得部と、
上記ユーザ情報取得部が取得したユーザ情報、および上記端末特定情報取得部が取得した端末特定情報を互いに関連付けて管理する管理部と、を備えており、
上記ユーザ情報は、上記ユーザに対して好適なコンテンツの存在を示唆する画面を上記コンテンツ提供端末が当該ユーザに提供したうえで取得された情報であり、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれる
ことを特徴とするサーバ。
【請求項２】
上記ユーザ情報の入力を誘起する画面であって、上記ユーザに対して好適なコンテンツの存在を示唆する画面であるユーザ情報入力画面を上記コンテンツ提供端末に提供する入力画面出力部をさらに備え、
上記ユーザ情報取得部は、上記ユーザ情報入力画面を上記コンテンツ提供端末が提供したうえで取得されたユーザ情報を取得することを特徴とする請求項１に記載のサーバ。
【請求項３】
上記コンテンツ提供端末に対する操作を示す操作情報を取得する操作情報取得部と、
上記管理部が互いに関連付けて管理している上記ユーザ情報および上記端末特定情報と、上記操作情報とを処理する情報処理部と、をさらに備え、
上記情報処理部は、上記操作情報を、上記操作情報が示す操作ごとに集計することを特徴とする請求項１または２に記載のサーバ。
【請求項４】
上記管理部は、更に、上記コンテンツ提供端末を操作中のユーザを特定するものであり、当該管理部は、上記操作情報取得部が取得した操作情報を参照して、上記コンテンツ提供端末を操作中のユーザを特定することを特徴とする請求項３に記載のサーバ。
【請求項５】
上記管理部が上記ユーザ情報および上記端末特定情報を互いに関連付けて管理することを許可するか否かを示す管理許可情報を取得する管理許可情報取得部をさらに備え、
上記管理許可情報取得部が取得した管理許可情報が、上記管理部が上記ユーザ情報および上記端末特定情報を互いに関連付けて管理することを許可しないことを示す場合、上記管理部は、上記ユーザ情報および上記端末特定情報を互いに関連付けて管理しないことを特徴とする請求項１〜４の何れか１項に記載のサーバ。
【請求項６】
上記ユーザ情報は、黄道１２星座のうち、ユーザの誕生日に太陽が位置していた星座、ユーザの姓名、ユーザの性別、ユーザの生年月日、ユーザの血液型、およびユーザの趣味の少なくとも何れかを示す情報であることを特徴とする請求項１〜５の何れか１項に記載のサーバ。
【請求項７】
サーバとしてコンピュータを機能させるための制御プログラムであって、上記コンピュータを、
コンテンツを視聴するために入力された、ユーザに関する情報であるユーザ情報を取得するユーザ情報取得部と、
上記コンテンツを提供するコンテンツ提供端末を特定する端末特定情報を取得する端末特定情報取得部と、
上記ユーザ情報取得部が取得したユーザ情報、および上記端末特定情報取得部が取得した端末特定情報を互いに関連付けて管理する管理部と、として機能させるための制御プログラムであって、
上記ユーザ情報は、上記ユーザに対して好適なコンテンツの存在を示唆する画面を上記コンテンツ提供端末が当該ユーザに提供したうえで取得された情報であり、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれる
ることを特徴とするサーバ。
【請求項８】
コンテンツを視聴するために入力された、ユーザに関する情報であるユーザ情報を取得するユーザ情報取得工程と、
上記コンテンツを提供するコンテンツ提供端末を特定する端末特定情報を取得する端末特定情報取得工程と、
上記ユーザ情報取得工程において取得されたユーザ情報、および上記端末特定情報取得工程において取得された端末特定情報を互いに関連付けて管理する管理工程と、を含み、
上記ユーザ情報は、上記ユーザに対して好適なコンテンツの存在を示唆する画面を上記コンテンツ提供端末が当該ユーザに提供したうえで取得された情報であり、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれる
ことを特徴とする情報管理方法。
【請求項９】
コンテンツ提供端末およびサーバを備える情報管理システムであって、
上記コンテンツ提供端末は、
コンテンツを視聴するためにユーザが入力したユーザに関する情報であるユーザ情報を取得するユーザ情報端末取得部と、
上記ユーザ情報端末取得部が取得したユーザ情報、および上記コンテンツ提供端末を特定するための端末特定情報のうち、少なくとも何れかをサーバに出力する情報出力部と、を備え、
上記ユーザ情報は、上記ユーザに対して好適なコンテンツの存在を示唆する画面を上記コンテンツ提供端末が当該ユーザに提供したうえで取得された情報であり、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれ、
上記サーバは、
上記コンテンツ提供端末からユーザ情報を取得するユーザ情報サーバ取得部と
上記コンテンツ提供端末から端末特定情報を取得する端末特定情報取得部と、
上記ユーザ情報サーバ取得部が取得したユーザ情報、および上記端末特定情報取得部が取得した端末特定情報を互いに関連付けて管理する管理部と、を備えることを特徴とする情報管理システム。
【請求項１０】
ユーザに対して好適なコンテンツの存在を示唆する画面を当該ユーザに提供するユーザ情報入力コンテンツを取得するコンテンツ取得部と、
上記コンテンツ取得部が取得したユーザ情報入力コンテンツを提供するコンテンツ提供部と、
上記コンテンツ提供部が上記画面を上記ユーザに提供したうえで、上記コンテンツを視聴するために入力された、ユーザに関する情報であるユーザ情報を取得するユーザ情報取得部と、
上記ユーザ情報取得部が取得したユーザ情報、および自端末を特定するための端末特定情報のうち、少なくとも何れかを出力する情報出力部と、を備え、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれる
ことを特徴とするコンテンツ提供端末。
【請求項１１】
コンテンツ提供端末としてコンピュータを機能させるための制御プログラムであって、上記コンピュータを、
ユーザに対して好適なコンテンツの存在を示唆する画面を当該ユーザに提供するユーザ情報入力コンテンツを取得するコンテンツ取得部と、
上記コンテンツ取得部が取得したユーザ情報入力コンテンツを提供するコンテンツ提供部と、
上記コンテンツ提供部が上記画面を上記ユーザに提供したうえで、上記コンテンツを視聴するために入力された、ユーザに関する情報であるユーザ情報を取得するユーザ情報取得部と、
上記ユーザ情報取得部が取得したユーザ情報、および自端末を特定するための端末特定情報のうち、少なくとも何れかを出力する情報出力部と、として機能させ、
上記ユーザに対して好適なコンテンツは、上記ユーザ情報に応じたコンテンツであり、
上記ユーザに対して好適なコンテンツの存在を示唆する画面には、ユーザ情報が所定のユーザ情報である場合に提供される上記ユーザに対して好適なコンテンツが含まれる
制御プログラム。
【発明の詳細な説明】
【技術分野】
【０００１】
本発明は、情報を管理するサーバ、情報管理方法、情報管理システム、当該情報管理システムにおけるコンテンツ提供端末、当該サーバの制御プログラム、および当該コンテンツ提供端末の制御プログラムに関する。
【背景技術】
【０００２】
近年、インターネットなどのネットワーク上のサービスにおいて、個々のユーザに対して個別に有用なサービスを提供する技術が望まれている。一方で、そのようなサービスを個別に提供することは、ユーザに関する個人情報が必要になる場合もある。しかしながら、ユーザにとって、個人情報を入力することには抵抗感があり、このことは、ユーザに対する有用なサービスの提供を行うことの障害となっていた。そこで、ユーザに対して抵抗感なく個人情報の入力を促す技術が開発されている。
【０００３】
例えば、特許文献１には、仮想的な参加者（ボット）をＳＮＳに投入し、ＳＮＳの他の参加者から個人情報を収集し、当該個人情報を提供した他の参加者に対して、当該個人情報に応じたサービスを提供する技術が記載されている。
【先行技術文献】
【特許文献】
【０００４】
【特許文献１】特開２０１３−１７１４７７号公報（２０１３年９月２日公開）
【発明の概要】
【発明が解決しようとする課題】
【０００５】
しかしながら、上述の従来技術では、個人情報を収集できるユーザは、ボットとＳＮＳ上で友人関係を成立させたユーザに限られる。一方、ＳＮＳ上における友人関係のみでは、個人情報の開示に抵抗感を感じるユーザは多いと考えられる。
【０００６】
本発明は、上記の課題に鑑みてなされたものであり、その目的は、ユーザに対して抵抗感なく個人情報の入力を促すことのできる技術を提供することにある。
【課題を解決するための手段】
【０００７】
上記の課題を解決するために、本発明の一態様に係るサーバは、コンテンツを視聴するために入力された、ユーザに関する情報であるユーザ情報を取得するユーザ情報取得部と、上記コンテンツを提供するコンテンツ提供端末を特定する端末特定情報を取得する端末特定情報取得部と、上記ユーザ情報取得部が取得したユーザ情報、および上記端末特定情報取得部が取得した端末特定情報を互いに関連付けて管理する管理部と、を備えており、上記ユーザ情報は、上記ユーザに対して好適なコンテンツの存在を示唆する画面を上記コンテンツ提供端末が当該ユーザに提供したうえで取得された情報である。
【０００８】
また、上記の課題を解決するために、本発明の一態様に係る制御プログラムは、サーバとしてコンピュータを機能させるための制御プログラムであって、上記コンピュータを、コンテンツを視聴するために入力された、ユーザに関する情報であるユーザ情報を取得するユーザ情報取得部と、上記コンテンツを提供するコンテンツ提供端末を特定する端末特定情報を取得する端末特定情報取得部と、上記ユーザ情報取得部が取得したユーザ情報、および上記端末特定情報取得部が取得した端末特定情報を互いに関連付けて管理する管理部と、として機能させるための制御プログラムであって、上記ユーザ情報は、上記ユーザに対して好適なコンテンツの存在を示唆する画面を上記コンテンツ提供端末が当該ユーザに提供したうえで取得された情報である。
【０００９】
また、上記の課題を解決するために、本発明の一態様に係る情報管理方法は、コンテンツを視聴するために入力された、ユーザに関する情報であるユーザ情報を取得するユーザ情報取得工程と、上記コンテンツを提供するコンテンツ提供端末を特定する端末特定情報を取得する端末特定情報取得工程と、上記ユーザ情報取得工程において取得されたユーザ情報、および上記端末特定情報取得工程において取得された端末特定情報を互いに関連付けて管理する管理工程と、を含み、上記ユーザ情報は、上記ユーザに対して好適なコンテンツの存在を示唆する画面を上記コンテンツ提供端末が当該ユーザに提供したうえで取得された情報である。
【００１０】
また、上記の課題を解決するために、本発明の一態様に係る情報管理システムは、コンテンツ提供端末およびサーバを備える情報管理システムであって、上記コンテンツ提供端末は、コンテンツを視聴するためにユーザが入力したユーザに関する情報であるユーザ情報を取得するユーザ情報端末取得部と、上記ユーザ情報端末取得部が取得したユーザ情報、および上記コンテンツ提供端末を特定するための端末特定情報のうち、少なくとも何れかをサーバに出力する情報出力部と、を備え、上記ユーザ情報は、上記ユーザに対して好適なコンテンツの存在を示唆する画面を上記コンテンツ提供端末が当該ユーザに提供したうえで取得された情報であり、上記サーバは、上記コンテンツ提供端末からユーザ情報を取得するユーザ情報サーバ取得部と上記コンテンツ提供端末から端末特定情報を取得する端末特定情報取得部と、上記ユーザ情報サーバ取得部が取得したユーザ情報、および上記端末特定情報取得部が取得した端末特定情報を互いに関連付けて管理する管理部と、を備える。
【００１１】
また、上記の課題を解決するために、本発明の一態様に係るコンテンツ提供端末は、ユーザに対して好適なコンテンツの存在を示唆する画面を当該ユーザに提供するユーザ情報入力コンテンツを取得するコンテンツ取得部と、上記コンテンツ取得部が取得したユーザ情報入力コンテンツを提供するコンテンツ提供部と、上記コンテンツ提供部が上記画面を上記ユーザに提供したうえで、上記コンテンツを視聴するために入力された、ユーザに関する情報であるユーザ情報を取得するユーザ情報取得部と、上記ユーザ情報取得部が取得したユーザ情報、および自端末を特定するための端末特定情報のうち、少なくとも何れかを出力する情報出力部と、を備える。
【００１２】
また、上記の課題を解決するために、本発明の一態様に係る制御プログラムは、コンテンツ提供端末としてコンピュータを機能させるための制御プログラムであって、上記コンピュータを、ユーザに対して好適なコンテンツの存在を示唆する画面を当該ユーザに提供するユーザ情報入力コンテンツを取得するコンテンツ取得部と、上記コンテンツ取得部が取得したユーザ情報入力コンテンツを提供するコンテンツ提供部と、上記コンテンツ提供部が上記画面を上記ユーザに提供したうえで、上記コンテンツを視聴するために入力された、ユーザに関する情報であるユーザ情報を取得するユーザ情報取得部と、上記ユーザ情報取得部が取得したユーザ情報、および自端末を特定するための端末特定情報のうち、少なくとも何れかを出力する情報出力部と、として機能させる。
【発明の効果】
【００１３】
本発明の一態様によれば、ユーザに対して抵抗感なく個人情報の入力を促すことができる。
【図面の簡単な説明】
【００１４】
【図１】本発明の実施形態１に係る情報管理システムを模式的に示す図である。
【図２】本発明の実施形態１に係る情報管理システムの要部構成を示すブロック図である。
【図３】本発明の実施形態１におけるサーバおよびテレビのハードウェア構成を示す図であり、（ａ）は、サーバのハードウェア構成を示す図であり、（ｂ）は、テレビのハードウェア構成を示す図である。
【図４】本発明の実施形態１に係る情報管理システムにおいて、テレビがコンテンツを表示するまでの処理の流れを示すシーケンス図である。
【図５】本発明の実施形態１におけるテレビが表示する画面の例を示す図であり、（ａ）は、操作情報取得部が星座占いコンテンツを表示する旨を示す操作情報を受け付ける画面の例であり、（ｂ）は、操作情報取得部が星座占いコンテンツを表示する旨を示す操作情報を受け付ける画面の他の例である。
【図６】本発明の実施形態１におけるテレビが表示する画面の例を示す図であり、（ａ）は、表示制御部が表示する星座占いコンテンツの一例であり、（ｂ）は、表示制御部が表示するコンテンツの一例であり、（ｃ）は、ユーザ情報を受け付けるために表示制御部が表示する画面の一例である。
【図７】本発明の実施形態１に係る情報管理システムにおいて、テレビがコンテンツを表示してからの処理の流れを示すシーケンス図である。
【図８】本発明の実施形態１において、情報管理部が管理するテーブルの例である。
【図９】本発明の実施形態１におけるテレビが表示する画面の例を示す図であり、（ａ）は、登録したユーザ情報を変更する操作を受け付ける画面の一例であり、（ｂ）は、ユーザ情報の入力を誘起する画面の一例であり、（ｃ）は、（ｂ）に示す画面をスクロールさせたときに表示される画面の例である。
【図１０】本発明の実施形態１におけるテレビが表示する画面の例を示す図であり、（ａ）は、視聴ランキングサービスにユーザが参加するか否かを問い合わせる画面の例であり、（ｂ）は、利用規約を表示する操作を受け付ける画面の例である。
【図１１】本発明の実施形態２おいて、登録されたユーザ情報を情報管理部が管理するテーブルの例を示す図である。
【図１２】本発明の実施形態２において、サーバが管理するテーブルの例であり、（ａ）は、取得ユーザ情報ログテーブルの例であり、（ｂ）は、視聴ログテーブルの例である。
【図１３】本発明の実施形態２において、情報管理部が管理するテーブルの例である。
【図１４】本発明の実施形態３に係る情報管理システムにおけるテレビの処理の流れを示すフローチャートである。
【図１５】本発明の実施形態３に係る情報管理システムにおいて、テレビが図１４に示す処理を実行した後の処理の流れを示すシーケンス図である。
【図１６】本発明の実施形態１におけるテレビが表示する画面の例を示す図であり、（ａ）は、ユーザ情報の登録を促す画面の一例であり、（ｂ）は、ユーザ情報の登録を促す画面の他の例であり、（ｃ）は、（ｂ）におけるユーザ情報の登録を促す画像を示す図である。
【発明を実施するための形態】
【００１５】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１６】
（情報管理システム１）
図１は、本発明の実施形態１に係る情報管理システム１を模式的に示す図である。情報管理システム１は、図１に示すように、サーバ１００、テレビ（コンテンツ提供端末）２００、および外部サーバ３００によって構成されている。
【００１７】
情報管理システム１では、サーバ１００、テレビ２００、および外部サーバ３００がそれぞれネットワーク２に接続されており、ネットワーク２を介して情報の送受信が可能である。情報管理システム１では、テレビ２００は、コンテンツを視聴するために入力された情報であって、ユーザに関する情報であるユーザ情報と、テレビ２００に対する操作（自端末に対する操作）を示す操作情報と、テレビ２００を特定するための情報である端末ＩＤ（端末特定情報）とを取得する。そして、テレビ２００は、ネットワーク２を介して上記ユーザ情報、上記操作情報、および上記端末ＩＤのうち、少なくとも何れかをサーバ１００に出力する。サーバ１００は、テレビ２００から、ユーザ情報、操作情報、および端末ＩＤを取得すると、取得したユーザ情報、操作情報、および端末ＩＤを互いに関連付けて管理する。また、サーバ１００は、取得したユーザ情報に応じたコンテンツを外部サーバ３００から取得し、テレビ２００に出力する。
【００１８】
ここで、ユーザ情報とは、ユーザに対してサーバ１００が個別に割り振るＩＤではなく、ユーザが入力した情報であって、ユーザに関する情報である。ユーザ情報の例として、
・黄道１２星座（以下、単に星座とも称する）のうち、ユーザの誕生日に太陽が位置していた星座（以後、ユーザの星座とも称する）
・姓名
・性別
・生年月日
・血液型
・趣味
の何れか、またはこれらの組合せが挙げられる。
【００１９】
（サーバ１００）
図２は、本発明の実施形態１に係る情報管理システム１の要部構成を示すブロック図である。サーバ１００について、図２を用いて説明する。
【００２０】
サーバ１００は、図２に示すように、サーバ通信部１１０、サーバ制御部１２０、およびデータベース１３０を備えている。
【００２１】
サーバ通信部１１０は、外部の機器と情報を送受信することができる。
【００２２】
データベース１３０は、サーバ制御部１２０から出力された情報を記録するデータベースである。
【００２３】
サーバ制御部１２０は、サーバ１００の各構成を統括的に制御するものである。サーバ制御部１２０の詳細について、以下に説明する。
【００２４】
（サーバ制御部１２０）
サーバ制御部１２０は、図２に示すように、コンテンツ管理部（コンテンツ出力部、入力画面出力部）１２１、情報管理部（管理部）１２２、情報処理部１２３、および情報取得部（管理許可情報取得部）１４０としても機能する。
【００２５】
コンテンツ管理部１２１は、サーバ通信部１１０を制御し、テレビ２００に出力するコンテンツを管理する。コンテンツ管理部１２１がテレビ２００に出力するコンテンツの詳細については、後述する。
【００２６】
情報管理部１２２は、情報取得部１４０が取得したユーザ情報、操作情報、および端末ＩＤを管理する。情報管理部１２２が情報を管理する例として、取得した情報をデータベース１３０に記録し、関連付けて管理することや、取得した情報に対応したコンテンツの出力をコンテンツ管理部１２１に対して要求することが挙げられる。また、詳細は後述の実施形態において説明するが、情報管理部１２２は、コンテンツ提供端末を操作中のユーザを特定する機能も備えている。
【００２７】
情報処理部１２３は、データベース１３０に記録されている情報を参照して処理する。情報処理部１２３が情報を処理する例として、操作情報を、当該操作情報が示す操作ごとに集計することによってランキングを作成することが挙げられる。
【００２８】
情報取得部１４０は、サーバ通信部１１０を制御し、テレビ２００から出力されたユーザ情報、操作情報、および端末ＩＤを取得する。換言すると、情報取得部１４０は、図２に示すように、ユーザ情報を取得するユーザ情報サーバ取得部（ユーザ情報取得部）１４１、操作情報を取得する操作情報サーバ取得部（操作情報取得部）１４２、および端末ＩＤ取得部（端末特定情報取得部）１４３としても機能する。
【００２９】
（サーバ１００のハードウェア構成）
図３は、本発明の実施形態１におけるサーバ１００およびテレビ２００のハードウェア構成を示す図であり、（ａ）は、サーバ１００のハードウェア構成を示す図である。サーバ１００は、図３の（ａ）に示すように、通信部１１００、制御部１２００、および記憶部１３００を含んでいる。
【００３０】
通信部１１００は、外部の機器との通信を可能にするためのインターフェースである。通信部１１００は、上述したサーバ通信部１１０の機能を実現する。
【００３１】
記憶部１３００は、取得した情報を記憶する機能を備えるデバイスである。記憶部１３００は、上述したデータベース１３０の機能を実現する。また、記憶部１３００は、主記憶部および補助記憶部を備えている。記憶部１３００の主記憶部として利用可能なデバイスとしては、例えば、半導体ＲＡＭ（random access memory）を挙げることができる。また、記憶部１３００の補助記憶部として利用可能なデバイスとしては、例えば、ハードディスクドライブ（ＨＤＤ）を挙げることができ、補助記憶部には、サーバ１００として動作させるための制御プログラムが保存されている。制御プログラムは、サーバ制御部１２０の機能を実現するためのプログラムである。
【００３２】
制御部１２００は、記憶部１３００の主記憶上に制御プログラムを展開し、展開された制御プログラムに含まれる各種の命令を実行することによって、上述したサーバ制御部１２０の機能を実現する。制御部１２００として利用可能なデバイスとしては、ＣＰＵ（Central Processing Unit）を挙げることができる。
【００３３】
（テレビ２００）
テレビ２００について、図２を用いて説明する。テレビ２００は、図２に示すように、テレビ通信部２１０およびテレビ制御部２２０を備えている。
【００３４】
テレビ通信部２１０は、外部の機器と情報を送受信することができる。
【００３５】
テレビ制御部２２０は、テレビ２００の各構成を統括的に制御するものである。テレビ制御部２２０の詳細について、以下に説明する。
【００３６】
（テレビ制御部２２０）
テレビ制御部２２０は、図２に示すように、ユーザ情報取得部（ユーザ情報端末取得部）２２１、操作情報取得部（操作情報端末取得部）２２２、表示制御部（コンテンツ取得部、コンテンツ提供部）２２３、放送番組受信部２２４、および情報出力部２３０としても機能する。
【００３７】
ユーザ情報取得部２２１は、ユーザ情報を取得する。
【００３８】
操作情報取得部２２２は、操作情報を取得する。
【００３９】
表示制御部２２３は、後述する表示部２５００の画面に表示させる画像を示す画像信号を出力する。
【００４０】
放送番組受信部２２４は、放送番組を受信する。放送番組受信部２２４が受信する放送番組は、放送波を介して放送されるものであってもよいし、ネットワーク経由で配信されるものであってもよい。
【００４１】
情報出力部２３０は、テレビ通信部２１０を制御し、ユーザ情報取得部２２１が取得したユーザ情報、操作情報取得部２２２が取得した操作情報、およびテレビ２００の端末ＩＤを出力する。換言すると、情報出力部２３０は図２に示すように、ユーザ情報を出力するユーザ情報出力部２３１、操作情報を出力する操作情報出力部２３２、および端末ＩＤを出力する端末ＩＤ出力部２３３としても機能する。
【００４２】
（テレビ２００のハードウェア構成）
図３の（ｂ）は、テレビ２００のハードウェア構成を示す図である。テレビ２００は、図３の（ｂ）に示すように、通信部２１００、制御部２２００、記憶部２３００、操作受付部２４００、表示部２５００、音声出力部２６００、およびチューナ部２７００を含んでいる。
【００４３】
通信部２１００は、外部の機器との通信を可能にするためのインターフェースである。通信部２１００は、上述したテレビ通信部２１０の機能を実現する。
【００４４】
記憶部２３００は、取得した情報を記憶する機能を備えるデバイスである。記憶部１３００は、主記憶部および補助記憶部を備えている。記憶部２３００の主記憶部として利用可能なデバイスとしては、例えば、半導体ＲＡＭを挙げることができる。また、記憶部２３００の補助記憶部として利用可能なデバイスとしては、例えば、ハードディスクドライブを挙げることができ、補助記憶部には、テレビ２００として動作させるための制御プログラムが保存されている。制御プログラムは、テレビ制御部２２０の機能を実現するためのプログラムである。また、端末ＩＤは、記憶部２３００に記録されていてもよい。
【００４５】
制御部２２００は、記憶部２３００の主記憶上に制御プログラムを展開し、展開された制御プログラムに含まれる各種の命令を実行することによって、上述したテレビ制御部２２０の機能を実現する。制御部２２００として利用可能なデバイスとしては、ＣＰＵ（Central Processing Unit）を挙げることができる。
【００４６】
操作受付部２４００は、テレビ２００を遠隔操作するためのリモートコントローラ、またはテレビ２００に設けられた入力デバイスをユーザが操作することにより、ユーザの入力操作を受け付ける。そして、操作受付部２４００は、受け付けた操作を示す操作情報を、操作情報出力部２３２および放送番組受信部２２４に出力する。なお、上記入力デバイスの例としては、ボタン、スイッチ、タッチパネルなどが挙げられる。
【００４７】
表示部２５００は、画像信号が示す画像を画面に出力する。表示部２５００は、例えば、ＬＣＤ（Liquid Crystal Display）、ＰＤＰ（Plasma Display Panel）、ＥＬ（Electroluminescence）ディスプレイなどの表示デバイスを挙げることができる。
【００４８】
音声出力部２６００は、音声信号が示す音声を出力する。音声出力部２６００の例として、スピーカを挙げることができる。
【００４９】
チューナ部２７００は、放送局から送信された放送番組を受信する装置である。具体的には、チューナ部２７００は、複数の放送局から送信された放送番組の中から１または複数の放送番組を選択（選局）して受信する。チューナ部２７００は、受信した放送番組を放送番組受信部２２４に出力する。
【００５０】
（外部サーバ３００）
外部サーバ３００について、図２を用いて説明する。外部サーバ３００は、図２に示すように、外部サーバ通信部３１０、コンテンツ取得部３２０、およびコンテンツデータベース３３０を備えている。
【００５１】
外部サーバ通信部３１０は、外部の機器と情報を送受信することができる。
【００５２】
コンテンツ取得部３２０は、外部サーバ通信部３１０を制御し、コンテンツデータベース３３０に記録されているコンテンツの出力要求を受け付け、当該出力要求に対応したコンテンツをコンテンツデータベース３３０から取得する。そして、コンテンツ取得部３２０は、外部サーバ通信部３１０を介して取得したコンテンツを出力する。
【００５３】
コンテンツデータベース３３０は、コンテンツ記録されている。コンテンツデータベース３３０に記録されているコンテンツは特に限定されるものではないが、本実施形態では星座占いの結果が記録されている場合について説明する。
【００５４】
（情報管理システム１の処理１）
図４は、本発明の実施形態１に係る情報管理システム１において、テレビ２００がコンテンツを表示するまでの処理の流れを示すシーケンス図である。また、図５は、本発明の実施形態１におけるテレビ２００が表示する画面の例を示す図である。また、図６は、本発明の実施形態１におけるテレビ２００が表示する画面の他の例を示す図である。情報管理システム１の処理のうち、テレビ２００がコンテンツを表示するまでの処理（情報管理方法）について、図４〜図６を用いて説明する。
【００５５】
（ステップＳ１）
テレビ２００の操作情報取得部２２２は、星座占いの結果を表示させるために、ユーザの星座を取得するためのコンテンツである星座占いコンテンツを表示する旨を示す操作情報を取得する。操作情報取得部２２２は、取得した操作情報を、表示制御部２２３に出力する。ここで、操作情報取得部２２２が星座占いコンテンツを表示する旨を示す操作情報を受け付ける画面の例について、図５を用いて説明する。
【００５６】
図５の（ａ）は、操作情報取得部２２２が星座占いコンテンツを表示する旨を示す操作情報を受け付ける画面の例である。表示制御部２２３は、図５の（ａ）に示すように、テレビ２００が備える各機能（例えば、入力切替、番組表表示など）を利用するために表示される画面において、星座占いコンテンツを表示する旨の操作情報を受け付ける選択項目５００を表示する。この状態において、ユーザが、選択項目５００を選択する操作（例えば、ユーザがリモコンを操作し、選択項目５００にカーソルを合わせ、リモコンの決定ボタンを押すなど）をした場合、操作情報取得部２２２は、当該操作を示す操作情報を、星座占いコンテンツを表示する旨を示す操作情報として取得する。
【００５７】
また、テレビ２００は、図５の（ａ）に示す画像を画面に表示する場合、外部サーバ３００に対して、所定の星座情報を出力するように要求したうえで、当該画面を表示する構成であってもよい。所定の星座情報とは、例えば、今日の総合運が最も良い星座を示す星座情報、今週の総合運が最も良い星座を示す星座情報、などを挙げることができるが、これらに限定されない。例えば、テレビ２００が外部サーバ３００に対して、今日の総合運が最も良い星座を示す星座情報を出力するように要求する構成である場合、外部サーバ３００のコンテンツ取得部３２０は、外部サーバ通信部３１０を介して当該要求を受け付けると、コンテンツデータベース３３０から、今日の総合運が最も良い星座を示す星座情報を取得する。そして、コンテンツ取得部３２０は、外部サーバ通信部３１０を介して取得した星座情報をテレビ２００に対して出力する。テレビ２００の表示制御部２２３は、外部サーバ３００から星座情報を取得すると、当該星座情報が示す星座を表す画像を選択項目５００に含めて表示する。例えば、表示制御部２２３が取得した星座情報が示す星座が「さそり座」であった場合、図５の（ａ）に示すように、表示制御部２２３は、「さそり座」を示す画像を含む選択項目５００を表示する。
【００５８】
また、テレビ２００は、図５の（ａ）に示す画像を、サーバ１００から取得する構成であってもよい。この場合、テレビ２００の操作情報取得部２２２は、テレビ２００が備える各機能を利用するために表示される画像を表示する旨の操作情報を取得すると、当該操作情報を操作情報出力部２３２に出力する。操作情報出力部２３２は、取得した操作情報を、テレビ通信部２１０を介してサーバ１００に出力する。サーバ１００の操作情報サーバ取得部１４２は、サーバ通信部１１０を介してテレビ２００から操作情報を取得すると、情報管理部１２２に出力する。情報管理部１２２は、当該操作情報を取得すると、コンテンツ管理部１２１に対して、テレビ２００が備える各機能を利用するために表示される画像を出力するよう要求する。コンテンツ管理部１２１は、当該要求を受け付けると、例えば図５の（ａ）に示す画像をテレビ２００が備える各機能を利用するために表示される画像として、テレビ２００に出力する。なお、コンテンツ管理部１２１は、テレビ２００が備える各機能を利用するために表示される画像を出力する場合、上述した構成と同様、外部サーバ３００に対して、所定の星座情報を出力するように要求したうえで出力する構成であってもよい。例えば、コンテンツ管理部１２１が外部サーバ３００に対して、今日の総合運が最も良い星座を示す星座情報を出力するように要求する構成である場合、コンテンツ管理部１２１は、外部サーバ３００から取得した星座情報が示す星座を示す画像を選択項目５００に含めた画像を、テレビ２００に出力する。
【００５９】
また、図５の（ｂ）は、操作情報取得部２２２が星座占いコンテンツを表示する旨を示す操作情報を受け付ける画面の他の例である。表示制御部２２３は、図５の（ｂ）に示すように、テレビ２００が備えるブラウザを起動させたときに表示される初期画面において、星座占いコンテンツを表示する旨の操作情報を受け付ける選択項目５０２を表示する。この状態において、ユーザが選択項目５０２を選択する操作（例えば、ユーザがリモコンを操作し、選択項目５０２にカーソルを合わせ、リモコンの決定ボタンを押すなど）をした場合、操作情報取得部２２２は、当該操作を示す操作情報を、星座占いコンテンツを表示する旨を示す操作情報として取得する。なお、ユーザが選択項目５０２を選択している期間、テキストを表示するテキスト表示領域５０１に、選択された選択項目５０２は、星座占いコンテンツを表示する旨を受け付ける選択項目であることを、テキストにて表示してもよい。
【００６０】
なお、図５の（ｂ）に示す画面を表示制御部２２３が表示する場合も、図５の（ａ）を用いて説明した構成と同様に、（１）外部サーバ３００に対して、所定の星座情報を出力するように要求したうえで、当該画面を表示する構成、（２）図５の（ｂ）に示す画像を、サーバ１００から取得する構成、であってもよい。
【００６１】
（ステップＳ２）
操作情報取得部２２２は、星座占いコンテンツを表示する旨を示す操作情報を取得すると、取得した操作情報を表示制御部２２３に出力する。表示制御部２２３は、当該操作情報を取得すると、星座占いコンテンツを表示する。ここで、表示制御部２２３が表示する星座占いコンテンツについて、図６の（ａ）を用いて説明する。図６の（ａ）は、表示制御部２２３が表示する星座占いコンテンツ（ユーザ情報入力コンテンツ、ユーザ情報入力画面）の一例である。
【００６２】
表示制御部２２３は、星座占いコンテンツを表示する旨を示す操作情報を取得すると、図６の（ａ）に示すように、星座のうち、いずれかを選択可能な選択項目を含む画像５０３、性別を選択可能な選択項目を含む画像５０４、選択した星座および性別に対応するコンテンツを表示する旨の操作を受け付ける「ＯＫ」ボタン５０５、およびコンテンツの表示を取り消す「キャンセル」ボタン５０６を含む画像を表示する。
【００６３】
なお、表示制御部２２３は、図５の（ａ）を用いて説明した構成と同様、図６の（ａ）に示す画像を、サーバ１００から取得する構成であってもよい。この場合、操作情報取得部２２２は、星座占いコンテンツを表示する旨を示す操作情報を取得すると、当該操作情報を操作情報出力部２３２に出力する。そして、操作情報出力部２３２は、テレビ通信部２１０を介して取得した操作情報をサーバ１００に出力する。サーバ１００の操作情報サーバ取得部１４２は、サーバ通信部１１０を介して、テレビ２００から出力された操作情報を取得すると、当該操作情報を情報管理部１２２に出力する情報管理部１２２は、当該操作情報を取得すると、コンテンツ管理部１２１に対して、星座占いコンテンツを出力するよう要求する。コンテンツ管理部１２１は、当該要求を受け付けると、サーバ通信部１１０を介して星座占いコンテンツをテレビ２００に出力する。テレビ２００の表示制御部２２３は、テレビ通信部２１０を介して、サーバ１００からコンテンツを取得すると、当該コンテンツを表示させる。
【００６４】
（ステップＳ３）
ユーザ情報取得部２２１は、ユーザ情報を取得する。例えば、図６の（ａ）に示す画像において、「おひつじ座」および「女性」が選択され、「ＯＫ」ボタン５０５が押された場合、ユーザ情報取得部２２１は、「おひつじ座の女性」を示すユーザ情報を取得する。ユーザ情報取得部２２１は、取得したユーザ情報を、情報出力部２３０のユーザ情報出力部２３１に出力する。
【００６５】
（ステップＳ４）
ユーザ情報出力部２３１がユーザ情報を取得すると、情報出力部２３０は、ユーザ情報、操作情報、および端末ＩＤを出力する。より具体的には、ユーザ情報出力部２３１は取得したユーザ情報を出力し、操作情報出力部２３２は選択した星座および性別に対応するコンテンツ（換言すると、ユーザ情報に対応したコンテンツ）を表示する旨を示す操作情報を出力し、端末ＩＤ出力部２３３は、端末ＩＤを出力する。なお、ステップＳ４において、ユーザ情報、操作情報、および端末ＩＤは、必ずしも同時に出力される必要はなく、また、出力される順番も特に限定されない。また、ステップＳ４において、操作情報を出力しない構成であってもよい。また、端末ＩＤ出力部２３３は、テレビ２００が放送番組を受信するために入力された郵便番号を、端末ＩＤとともに出力する構成であってもよい。
【００６６】
（ステップＳ５、ユーザ情報取得工程、操作情報取得工程、端末特定情報取得工程）
サーバ１００の情報取得部１４０は、サーバ通信部１１０を介して、テレビ２００から出力されたユーザ情報、操作情報、および端末ＩＤを取得する。より具体的には、ユーザ情報サーバ取得部１４１がユーザ情報を取得し、操作情報サーバ取得部１４２が操作情報を取得し、端末ＩＤ取得部１４３が端末ＩＤを取得する。そして、情報取得部１４０は、取得した情報を、情報管理部１２２に出力する。
【００６７】
（ステップＳ６、管理工程）
情報管理部１２２は、取得したユーザ情報、操作情報、端末ＩＤを互いに関連付けて管理するため、データベース１３０に出力する。情報管理部１２２がユーザ情報、操作情報、端末ＩＤを互いに関連付けて管理する具体的な方法については、後述する。
【００６８】
（ステップＳ７）
情報管理部１２２は、取得したユーザ情報に対応するコンテンツを端末ＩＤによって特定されるテレビ２００に出力するよう、コンテンツ管理部１２１に要求する。コンテンツ管理部１２１は、当該要求を受け付けると、外部サーバ３００に対して、コンテンツを出力するよう要求する。
【００６９】
（ステップＳ８）
外部サーバ３００のコンテンツ取得部３２０は、外部サーバ通信部３１０を介して当該要求を受け付けると、コンテンツをコンテンツデータベース３３０から取得する。
【００７０】
（ステップＳ９）
コンテンツ取得部３２０は、取得したコンテンツを、外部サーバ通信部３１０を介してサーバ１００に出力する。
【００７１】
（ステップＳ１０）
サーバ１００のコンテンツ管理部１２１は、サーバ通信部１１０を介して、外部サーバ３００から出力されたコンテンツを取得する。
【００７２】
（ステップＳ１１）
コンテンツ管理部１２１は、取得したコンテンツのうち、ステップＳ７において受け付けた要求に従い、ユーザ情報に対応するコンテンツを、端末ＩＤによって特定されるテレビ２００にサーバ通信部１１０を介して出力する。
【００７３】
（ステップＳ１２）
テレビ２００の表示制御部２２３は、テレビ通信部２１０を介して、サーバ１００から出力されたコンテンツを取得する。
【００７４】
（ステップＳ１３）
表示制御部２２３は、取得したコンテンツを表示する。例えば、上述したステップＳ３においてユーザ情報取得部２２１が取得したユーザ情報が「おひつじ座の女性」を示す場合、表示制御部２２３は、ステップＳ１３において、おひつじ座の女性の星座占いの結果を示すコンテンツを取得する。この場合、表示制御部２２３が表示するコンテンツの例について、図６の（ｂ）を用いて説明する。図６の（ｂ）は、表示制御部２２３が表示するコンテンツの一例である。表示制御部２２３は、図６の（ｂ）に示すように、おひつじ座の女性の星座占いの結果を表示する。
【００７５】
なお、ステップＳ３において取得するユーザ情報は、ユーザの星座と性別に限られない。例えば、ステップＳ３において、ユーザのニックネーム、生年月日、および性別を取得する場合、ステップＳ２において、図６の（ｃ）に示すように、ニックネーム、生年月日、および性別の入力を受け付ける項目５０７、入力した項目に対応するコンテンツを表示する旨の操作を受け付ける「ＯＫ」ボタン５０８、およびコンテンツの表示を取り消す「キャンセル」ボタン５０９を含む画像を、表示制御部２２３は表示する構成であってもよい。
【００７６】
また、ステップＳ７におけるコンテンツの出力を要求する処理は、上述した構成に替えて、所定の時刻（例えば、午前０時、午前９時など）になった場合、所定の期間（例えば、３０分、１時間など）が経過した場合に、コンテンツ管理部１２１が外部サーバ３００に対して要求する構成であってもよい。また、外部サーバ３００がコンテンツ管理部１２１にプッシュにてコンテンツを出力する構成であってもよく、外部サーバ３００がコンテンツを出力する条件として、所定の時刻（例えば、午前０時、午前９時など）になった場合、所定の期間（例えば、３０分、１時間など）が経過した場合や、コンテンツが更新された場合、などを挙げることができる。この構成により、サーバ１００と外部サーバ３００とが通信する頻度を減らすことができ、外部サーバ３００のスペックが低い場合であっても、本発明を実現することが可能となる。
【００７７】
また、ステップＳ７において、情報管理部１２２は、取得したユーザ情報に対応するコンテンツを端末ＩＤによって特定されるテレビ２００に出力するよう、コンテンツ管理部１２１に要求する構成であってもよい。この場合、コンテンツ管理部１２１は、上記ユーザ情報に対応するコンテンツを出力するよう、外部サーバ３００に対して要求する。
【００７８】
また、ステップＳ７において、情報管理部１２２は、取得したユーザ情報に対応するコンテンツを端末ＩＤによって特定されるテレビ２００に出力するよう、外部サーバ３００に要求する構成であってもよい。この場合、ステップＳ９において、コンテンツ取得部３２０は、取得したコンテンツを、外部サーバ通信部３１０を介して、端末ＩＤによって特定されるテレビ２００に出力する。
【００７９】
（情報管理システム１の処理２）
図７は、本発明の実施形態１に係る情報管理システム１において、テレビ２００がコンテンツを表示してからの処理の流れを示すシーケンス図である。また、図８は、本発明の実施形態１において、情報管理部１２２が管理するテーブルの例である。情報管理システム１の処理のうち、テレビ２００がコンテンツを表示してからの処理について、図７および図８を用いて説明する。
【００８０】
（ステップＳ２１）
表示制御部２２３が上述したステップＳ１３においてコンテンツを表示した後、操作情報取得部２２２は、操作情報を取得したか否かを判定する。
【００８１】
（ステップＳ２２）
ステップＳ２１において、「操作情報を取得した」と判定された場合、操作情報取得部２２２は、取得した操作情報を情報出力部２３０に出力する。情報出力部２３０は、当該操作情報を取得すると、テレビ通信部２１０を介して当該操作情報と端末ＩＤとをサーバ１００に出力する。
【００８２】
（ステップＳ２３）
サーバ１００の情報取得部１４０は、サーバ通信部１１０を介して、テレビ２００から出力された操作情報および端末ＩＤを取得する。そして、情報取得部１４０は、取得した操作情報および端末ＩＤを情報管理部１２２に出力する。
【００８３】
（ステップＳ２４）
情報管理部１２２は、取得した操作情報および端末ＩＤを、互いに関連付けて管理する。ここで、情報管理部１２２がユーザ情報、操作情報、および端末ＩＤを関連付けて管理するテーブルについて、図８を用いて説明する。なお、図８における操作情報は、テレビ２００の電源のＯＮ、ＯＦＦ、およびチャンネル変更の操作を示す操作情報である。
【００８４】
なお、図７の処理は、テレビ２００がコンテンツを表示してからの処理の流れを示すシーケンス図として説明したが、テレビ２００がコンテンツを表示する前、またはテレビ２００がコンテンツを表示している期間においても、操作情報取得部２２２が操作情報を取得した場合、テレビ２００およびサーバ１００は、図７に示す処理を実行する構成であってもよい。この場合、図８に示すテーブルは、項目「星座」、項目「性別」に値が格納されていないテーブルが作成される。しかしながら、項目「星座」、項目「性別」に値が格納されていないテーブル、換言すると、ユーザ情報が示す値が格納されていないテーブルであっても、端末ＩＤによって特定されるテレビ２００が何れの放送番組を受信していたのかを示すテーブルを、情報管理部１２２は管理することが可能である。
【００８５】
図８に示すように、情報管理部１２２は、項目「端末ＩＤ」、項目「星座」、項目「性別」、および項目「視聴チャンネル」を含むテーブルを管理する。
【００８６】
項目「端末ＩＤ」には、取得した端末ＩＤが格納されている。
【００８７】
項目「星座」には、取得したユーザ情報に含まれるユーザの星座が格納されている。
【００８８】
項目「性別」には、取得したユーザ情報に含まれるユーザの性別が格納されている。
【００８９】
項目「視聴チャンネル」には、ユーザが何れのチャンネルの放送番組を視聴したかを示すチャンネル番号が格納されている。なお、項目「視聴チャンネル」において分割されている複数の項目はそれぞれ、所定の期間に分割された時間帯を示している。例えば、所定の期間が１５分であり、項目「視聴チャンネル」における左から１番目の列が「６：００〜６：１５」の時間帯を示している場合、左から１番目の列は、６：００〜６：１５においてユーザが視聴した放送番組のチャンネル番号が格納され、左から２番目の列は、６：１５〜６：３０においてユーザが視聴した放送番組のチャンネル番号が格納される。
【００９０】
例えば、端末ＩＤが「１５５５２０４３」のテレビを視聴しているユーザであって、星座が「おうし座」、性別が「女性」であるユーザは、６：３０にテレビの電源をＯＮし、６：３０以降、チャンネル番号が２の放送番組を視聴している。また、端末ＩＤが「２７８９６６１０」のテレビを視聴しているユーザであって、星座が「みずがめ座」、性別が「女性」であるユーザは、６：４５にテレビの電源をＯＮし、６：４５〜７：１５の期間、チャンネル番号が５の放送番組を視聴しており、７：１５以降、チャンネル番号が４の放送番組を視聴している。また、端末ＩＤが「１６４０３１８０」のテレビを視聴しているユーザであって、星座が「しし座」、性別が「男性」であるユーザは、６：１５にテレビの電源をＯＮし、６：１５〜７：３０の期間、チャンネル番号が３の放送番組を視聴しており、７：３０にテレビの電源をＯＦＦしている。
【００９１】
なお、項目「視聴チャンネル」に格納されるチャンネル番号は、分割された項目の期間の始まりの時点におけるチャンネルの番号であってもよいし、分割された項目の期間のうち、もっとも長く視聴されたチャンネルの番号であってもよい。例えば、図８に示す表において、６：０５にテレビの電源をＯＮし、チャンネル番号が１の放送番組を視聴した場合、６：００〜６：１５は電源ＯＦＦを示す「−」を格納し、６：１５以降に「１」を格納する構成であってもよいし、６：００〜６：１５のうち、電源ＯＦＦが５分間、チャンネル番号１の放送番組を視聴したのが１０分間なので、６：００〜６：１５に「１」を格納する構成であってもよい。
【００９２】
（ステップＳ２５）
ステップＳ２１において、「操作情報を取得していない」と判定された場合、またはステップＳ２２の処理の後、操作情報取得部２２２は、所定の時間が経過したか否かを判定する。ここで、所定の時間とは、操作情報取得部２２２が最初に操作情報を取得してからの時間であってもよいし、操作情報取得部２２２が直前の操作情報を取得してからの時間であってもよい。
【００９３】
ステップＳ２５において、「所定の時間を経過した」と判定された場合、図７に示す処理を終了する。
【００９４】
一方、ステップＳ２５において、「所定の時間を経過していない」と判定された場合、操作情報取得部２２２は、操作情報を取得したか否かを判定するステップＳ２１の処理に戻る。
【００９５】
（情報処理部１２３の処理）
続いて、情報処理部１２３の処理について説明する。上述したように、情報処理部１２３は、データベース１３０に記録されている情報を参照して処理する。
【００９６】
例えば、図８のテーブルがデータベース１３０に記録されている場合、情報処理部１２３は、各時間帯において視聴された放送番組を多い順に並び替えたランキングを作成することができる。さらに、情報処理部１２３は、項目「性別」を参照し、各時間帯において女性に視聴された放送番組を多い順に並び替えたランキングを作成することができる。なお、放送番組は地域ごとに異なるが、上述したように、テレビ２００に設定された郵便番号をサーバ１００が取得することにより、ランキングを作成する構成であってもよい。
【００９７】
（管理許可情報）
また、ユーザが入力したユーザ情報を、コンテンツを視聴するためだけに使用するか否かを、ユーザに問い合わせる構成であってもよい。ユーザが入力したユーザ情報を、コンテンツを視聴するためだけに使用するか否かを、ユーザに問い合わせる場合に、表示制御部２２３が表示する画像の例を、図１０に示す。図１０は、本発明の実施形態１におけるテレビ２００が表示する画面の他の例を示す図である。
【００９８】
上述したステップＳ２において表示した、図６の（ａ）において、操作情報取得部２２２が、選択した星座および性別に対応するコンテンツを表示する旨の操作を受け付ける「ＯＫ」ボタン５０５が押された操作を示す操作情報を取得すると、当該操作情報を表示制御部２２３に出力する。表示制御部２２３は、当該操作情報を取得すると、選択した星座および性別を、星座占いの結果を視聴するためだけに使用するか否かを、ユーザに問い合わせる画像を表示する。
【００９９】
例えば、表示制御部２２３は、取得したユーザ情報を参照した他のサービスである「視聴ランキング」に、ユーザが参加するか否かを問い合わせる画像を表示する。この場合、表示制御部２２３は、図１０の（ａ）に示すように、「視聴ランキング」にユーザが参加することを示す操作を受け付ける「参加する」ボタン５１７と、「視聴ランキング」にユーザが参加しないことを示す操作を受け付ける「今は参加しない」ボタン５１８とを含む画像を表示する。
【０１００】
続いて、操作情報取得部２２２が、「参加する」ボタン５１７が押されたことを示す操作情報を取得すると、表示制御部２２３は、図１０の（ｂ）に示すように、利用規約を表示する操作を受け付ける「利用規約の表示」ボタン５１９、利用規約を読んだか否かを選択する選択項目５２２、利用規約に同意することを示す操作を受け付ける「同意する」ボタン５２０、利用規約に同意しないことを示す操作を受け付ける「同意しない」ボタン５２１を含む画像を表示する。ここで、「利用規約の表示」ボタン５１９が押されると、ユーザが入力したユーザ情報を、「視聴ランキング」に使用することが明記された利用規約が表示される。
【０１０１】
そして、操作情報取得部２２２が、ユーザが選択項目５２２において利用規約を読んだことを選択し、「同意する」ボタン５２０が押されたことを示す操作情報を取得すると、情報出力部２３０は、ユーザ情報を「視聴ランキング」に使用することを許可することを示す情報である管理許可情報をサーバ１００に出力する。換言すると、ユーザ情報を「視聴ランキング」に使用することを許可することを示す管理許可情報とは、ユーザ情報、操作情報、および端末特定情報を互いに関連付けて管理することを許可することを示す管理許可情報である。サーバ１００は、当該管理許可情報を取得すると、情報管理部１２２は、取得したユーザ情報、操作情報、および端末ＩＤを互いに関連付けて管理する。
【０１０２】
一方、操作情報取得部２２２が、「同意しない」ボタン５２１が押されたことを示す操作情報を取得すると、情報出力部２３０は、ユーザ情報を「視聴ランキング」に使用することを許可しないことを示す管理許可情報をサーバ１００に出力する。サーバ１００は、当該管理許可情報を取得すると、情報管理部１２２は、取得したユーザ情報、操作情報、および端末ＩＤを互いに関連付けて管理しない。
【０１０３】
このように、本実施形態における情報管理システム１では、テレビ２００は、コンテンツ（星座占いの結果）を視聴するためにユーザが入力したユーザに関する情報であるユーザ情報（ユーザの星座および性別）、テレビ２００に対する操作（電源ＯＮ、電源ＯＦＦ、およびチャンネル変更）を示す操作情報、およびテレビ２００を特定する端末ＩＤの少なくとも何れかをサーバ１００に出力する。そして、サーバ１００は、取得したユーザ情報、操作情報、および端末ＩＤを互いに関連付けて管理する。このように、コンテンツを視聴するためにユーザに個人情報（ユーザ情報）を入力させるため、ユーザに対して抵抗感なく個人情報の入力を促すことができる。また、入力されたユーザ情報、操作情報、および端末ＩＤを関連付けることにより、例えば、年齢別のテレビ番組視聴ランキングといった、ユーザにとって有用なサービスも提供することができる。
【０１０４】
なお、本実施形態における情報管理システム１では、サーバ１００と外部サーバ３００とを別体とした構成であったが、サーバ１００と外部サーバ３００とは一体のサーバであってもよいし、サーバ１００および外部サーバ３００が備える各機能は、複数のサーバによって実現されてもよい。また、個々のサーバは、異なる事業者によって管理されていてもよい。
【０１０５】
〔実施形態２〕
本発明の他の実施形態について、図９、図１１〜図１３に基づいて説明すれば、以下のとおりである。なお、説明の便宜上、前記実施形態にて説明した部材と同じ機能を有する部材については、同じ符号を付記し、その説明を省略する。
【０１０６】
上述の実施形態では、テレビ２００を視聴しているユーザは一人である場合について説明したが、本実施形態に係る情報管理システム１ａでは、複数人のグループ（本実施形態では、家族）でテレビ２００を視聴する場合について説明する。なお、情報管理システム１ａの構成は、上述した情報管理システム１と同じ構成であるため、説明は省略する。
【０１０７】
（ユーザの登録）
ユーザの登録について、図９および図１１を用いて説明する。図９は、本発明の実施形態２におけるテレビ２００が表示する画面の例を示す図である。図１１は、本発明の実施形態２おいて、登録されたユーザ情報を情報管理部１２２が管理するテーブルの例を示す図である。
【０１０８】
まず、表示制御部２２３は、ユーザを登録する画面を表示する。ユーザを登録する画面の例として、上述した図６の（ｃ）を挙げることができる。また、ニックネーム「お父さん」、「お母さん」、「ゆうくん」のユーザ情報をそれぞれ登録した場合、図９の（ａ）に示すように、表示制御部２２３は、登録されたユーザのニックネームを示す画像５１０、ニックネーム「お父さん」、「お母さん」、「ゆうくん」のユーザ情報をそれぞれ変更する操作を受け付ける「変更」ボタン５１１、ニックネーム「お父さん」、「お母さん」、「ゆうくん」のユーザ情報をそれぞれ削除する操作を受け付ける「削除」ボタン５１２、元の画面を表示する旨を示す操作を受け付ける「もどる」ボタン５１３を含む画像を表示する。
【０１０９】
ユーザ情報取得部２２１は、取得したユーザ情報を、情報出力部２３０に出力する。情報出力部２３０は、取得したユーザ情報および端末ＩＤを、テレビ通信部２１０を介してサーバ１００に出力する。サーバ１００の情報取得部１４０は、サーバ通信部１１０を介して、テレビ２００から出力されたユーザ情報および端末ＩＤを取得する。そして、情報取得部１４０は、取得したユーザ情報および端末ＩＤを、情報管理部１２２に出力する。
【０１１０】
情報管理部１２２は、取得したユーザ情報および端末ＩＤを、関連付けて管理する。図６の（ｃ）の画面において入力されたユーザ情報を、情報管理部１２２が端末ＩＤと関連付けて管理するテーブルについて、図１１を用いて説明する。
【０１１１】
まず、情報管理部１２２は、取得したユーザ情報が、ニックネーム「お父さん」、性別「男」、および生年月日「１９８４／９／４」を示す場合、図１１の（ａ）に示すように、取得したユーザ情報にユーザ番号（「２０１４９４」）を関連付ける。そして、情報管理部１２２は、取得した端末ＩＤが「１５５５２０４３」を示す場合、図１１の（ｂ）に示すように、端末ＩＤ「１５５５２０４３」とユーザ番号「２０１４９４」とを関連付ける。また、端末ＩＤとユーザ番号との関連付けたテーブルには、図１１の（ｂ）に示すように、当該端末ＩＤに関連付けられているユーザ数を示す項目「登録ユーザ数」を含んでもよい。
【０１１２】
（情報管理システム１ａの処理１）
情報管理システム１ａの処理の流れについて、図１２の（ａ）を用いて説明する。図１２は、本発明の実施形態２において、サーバ１００が管理するテーブルの例であり、（ａ）は、取得ユーザ情報ログテーブルの例である。なお、情報管理システム１ａにおいても、上述した図４および図７のシーケンス図に従って処理を実行する。なお、上述した実施形態と同様、図４および図７の処理は、図４の処理の後に図７の処理が実行される場合、図７の処理の後に図４の処理が実行される場合、および図４および図７の処理が同時に実行される場合がある。
【０１１３】
（ステップＳ１）
まず、上述したステップＳ１と同様、テレビ２００の操作情報取得部２２２は、星座占いの結果を表示させるために、ユーザの星座を取得するためのコンテンツである星座占いコンテンツを表示する旨を示す操作情報を取得する。
【０１１４】
ここで、テレビ２００は、上述の実施形態と同様、図５の（ａ）に示す画像を画面に表示する場合、サーバ１００に対して、所定の星座情報を出力するように要求したうえで、当該画面を表示する構成であってもよい。所定の星座情報とは、例えば、テレビ２００に登録されているユーザの星座のうち、今日の総合運が最も良い星座を示す星座情報などを挙げることができるが、この構成に限定されない。例えば、テレビ２００がサーバ１００に対して、テレビ２００に登録されているユーザの星座のうち、今日の総合運が最も良い星座を示す星座情報を出力するように要求する構成である場合、テレビ２００の情報出力部２３０は、当該要求をするとともに、端末ＩＤをサーバ１００に出力する。サーバ１００の情報管理部１２２は、情報取得部１４０から当該要求を受け付け、当該端末ＩＤを取得すると、当該端末ＩＤに関連付けられている各ユーザ情報を参照し、各ユーザの星座のうち、今日の総合運が最も良い星座を示す星座情報をテレビ２００に出力するよう、コンテンツ管理部１２１に要求する。コンテンツ管理部１２１は、当該要求を受け付けると、各ユーザの星座のうち、今日の総合運が最も良い星座を示す星座情報を、テレビ２００に出力する。
【０１１５】
（ステップＳ２）
続いて、表示制御部２２３は、星座および性別を選択させる画面を表示する代わりに、ユーザを特定するユーザ情報の入力を促す画面を表示する。ここで、ユーザを特定するユーザ情報の入力を促す画面には、ユーザ情報の入力を誘起する画像（コンテンツ）が含まれている構成が好ましい。ユーザ情報の入力を誘起する画像の例として、所定の星座および所定の星座占いの結果の少なくとも何れかを含む画像を挙げることができる。より具体的には、図９の（ｂ）に示すように、所定の期間（例えば１週間）の総合運が良い星座、本日の総合運が良い星座、登録した家族のうち、所定の期間（例えば１週間）の総合運が良いユーザ、本日の総合運が良いユーザを含む画像を表示する。また、スクロール５１６を操作することによって表示される画像として、図９の（ｃ）に示すように、各ユーザの星座占いの結果の概要を含む画像を表示する。さらに、図９の（ｃ）に示すように、各ユーザの星座占いの結果の概要を含む画像には、各ユーザの星座占いの結果の詳細を表示する旨の操作を受け付ける「もっと詳しく」ボタン５１４および「もっと詳しく」ボタン５１５を含ませる。
【０１１６】
（ステップＳ３）
操作情報取得部２２２は、「もっと詳しく」ボタン５１４および「もっと詳しく」ボタン５１５のうち、何れのユーザの星座占いの結果を表示させるためのボタンが押されたのかを示す操作情報を取得する。そして、情報出力部２３０は、当該操作情報を取得すると、当該操作情報が示すボタンによって特定されるユーザを示すユーザ情報を取得する。
【０１１７】
（ステップＳ４）
情報出力部２３０は、ステップＳ３において取得したユーザ情報、ステップＳ３においてユーザ情報を取得する操作を受け付けた時刻を示す操作情報、および端末ＩＤを、サーバ１００に出力する。
【０１１８】
（ステップＳ５）
サーバ１００の情報取得部１４０は、サーバ通信部１１０を介して、テレビ２００から出力されたユーザ情報、操作情報、および端末ＩＤを取得する。そして、情報取得部１４０は、取得した情報を情報管理部１２２に出力する。
【０１１９】
（ステップＳ６）
情報管理部１２２は、取得したユーザ情報、操作情報、および端末ＩＤを互いに関連付けて管理する。情報管理部１２２がユーザ情報、操作情報、および端末ＩＤを互いに関連付けて管理する具体的な方法について、図１２の（ａ）を用いて説明する。
【０１２０】
図１２の（ａ）に示すように、取得ユーザ情報ログテーブルには、項目「Ｎｏ．」、項目「端末番号」、項目「ユーザ番号」、項目「操作時刻」が含まれている。
【０１２１】
項目「Ｎｏ．」には、通し番号が格納されている。
【０１２２】
項目「端末番号」には、取得した端末ＩＤが格納されている。
【０１２３】
項目「ユーザ番号」には、取得したユーザ情報によって特定されるユーザのユーザ番号が格納されている。
【０１２４】
項目「操作時刻」には、取得した操作情報が示す、操作を受け付けた時刻が格納されている。
【０１２５】
例えば、端末ＩＤが「１５５５２０４３」、「乙女座」を示すユーザ情報、「２０１４年９月２５日の８時０１分」を示す操作情報を取得した場合、情報管理部１２２は、項目「Ｎｏ．」に通し番号の「５５３１３２４」を格納し、取得した端末ＩＤ「１５５５２０４３」を、項目「端末番号」に格納し、取得した操作情報が示す「２０１４年９月２５日の８時０１分」を項目「操作時刻」に格納する。そして、端末ＩＤ「１５５５２０４３」に関連付けられているユーザのうち、星座が「乙女座」のユーザを特定する。図１１の（ａ）に示すように、ユーザ番号「２０１４９４」のユーザは、生年月日が「１９８４年９月４日」であるため、星座は「乙女座」である。そのため、情報管理部１２２は、当該ユーザ情報によって特定されるユーザのユーザ番号「２０１４９４」を、取得ユーザ情報ログテーブルにおける項目「ユーザ番号」に格納する。
【０１２６】
そして、ステップＳ７〜ステップＳ１３の処理については、上述した実施形態１における処理と同じであるため、詳細は省略する。
【０１２７】
（情報管理システム１ａの処理２）
続いて、情報管理システム１ａの処理のうち、テレビ２００がコンテンツを表示してからの処理について、図１２の（ｂ）を用いて説明する。図１２の（ｂ）は、視聴ログテーブルの例である。なお、図１２の（ｂ）における操作情報は、チャンネル変更の操作および当該操作を実行した時刻を示す操作情報である。
【０１２８】
まず、ステップＳ２１〜ステップＳ２３の処理については、上述した実施形態１における処理と同じであるため、詳細は省略する。
【０１２９】
（ステップＳ２４）
情報管理部１２２は、取得した操作情報および端末ＩＤを、互いに関連付けて管理する。情報管理部１２２が操作情報および端末ＩＤを互いに関連付けて管理する具体的な方法について、図１２の（ｂ）を用いて説明する。
【０１３０】
図１２の（ｂ）に示すように、視聴ログテーブルには、項目「Ｎｏ．」、項目「端末番号」、項目「ＴＶチャンネル」、項目「開始時刻」、および項目「終了時刻」が含まれている。
【０１３１】
項目「Ｎｏ．」には、通し番号が格納されている。
【０１３２】
項目「端末番号」には、取得した端末ＩＤが格納されている。
【０１３３】
項目「ＴＶチャンネル」には、操作情報に含まれているＴＶチャンネルの番号が格納されている。
【０１３４】
項目「開始時刻」には、取得した操作情報に含まれる当該操作を実行した時刻が格納されている。
【０１３５】
項目「終了時刻」には、関連付けられている「ＴＶチャンネル」に格納されているＴＶチャンネルの番号から、他のＴＶチャンネルの番号へ変更した時刻が格納されている。
【０１３６】
例えば、ステップＳ２３において、端末ＩＤが「１５５５２０４３」であり、２０１４年９月２５日の６：４５にＴＶチャンネルを６に変更したことを示す操作情報を情報取得部１４０が取得した場合、情報管理部１２２は、項目「Ｎｏ．」に通し番号の「７１４８９０２３」を格納し、項目「ＴＶチャンネル」に「６」を格納し、項目「開始時刻」に「２０１４年９月２５日６：４５」を格納する。
【０１３７】
続いて、端末ＩＤが「１５５５２０４３」であり、２０１４年９月２５日の６：５９にＴＶチャンネルを４に変更したことを示す操作情報を情報取得部１４０が取得した場合（以下、当該端末ＩＤおよび操作情報を、情報Ａとする）、情報管理部１２２は、項目「Ｎｏ．」に通し番号の「７１４８９０２５」を格納し、項目「ＴＶチャンネル」に「４」を格納し、項目「開始時刻」に「２０１４年９月２５日６：５９」を格納する。さらに、情報管理部１２２は、情報Ｂにおける端末ＩＤ「１５５５２０４３」と一致する端末番号が格納されている項目「Ｎｏ．」であって、情報Ｂを取得する直前に取得した端末ＩＤ「１５５５２０４３」に関連付けられている項目「Ｎｏ．」を検索する。図１２の（ｂ）では、上記項目「Ｎｏ．」に一致する項目「Ｎｏ．」は、「７１４８９０２３」である。そして、当該項目「Ｎｏ．」に関連付けられている項目「終了時刻」に、情報Ａにおける操作情報が示す操作時刻「２０１４年９月２５日６：５９」を格納する。
【０１３８】
さらに、情報管理部１２２は、視聴ログテーブルおよび取得ユーザ情報ログテーブルを参照し、図１３に示すテーブルによって、ユーザ情報、操作情報、および端末ＩＤを関連付けてもよい。図１３は、本発明の実施形態２において、情報管理部１２２が管理するテーブルの例である。
【０１３９】
図１３に示すように、情報管理部１２２は、項目「Ｎｏ．」、項目「ＴＶチャンネル」、および項目「ユーザ番号１」〜「ユーザ番号８」を含んでいる。
【０１４０】
項目「Ｎｏ．」には、所定の期間に分割された時間帯の通し番号が格納されている。例えば、所定の期間が１５分であり、項目「Ｎｏ．」が「１」の時間帯が「６：００〜６：１５」を示している場合、項目「Ｎｏ．」が「２」の時間帯は「６：１５〜６：３０」であり、項目「Ｎｏ．」が「３」の時間帯は「６：３０〜６：４５」である。なお、図１３においては、所定の期間が１５分であり、項目「Ｎｏ．」が「１」の時間帯が「６：００〜６：１５」を示している場合について説明する。
【０１４１】
項目「ＴＶチャンネル」には、ユーザが何れのチャンネルの放送番組を視聴してかを示すチャンネル番号が格納されている。
【０１４２】
項目「ユーザ番号１」〜「ユーザ番号８」には、図１１を用いて説明した際に関連付けられたユーザ番号１〜ユーザ番号８によって特定されるユーザが、項目「Ｎｏ．」において示されている時間帯に、項目「ＴＶチャンネル」によって示される放送番組を視聴していた確率を格納する。項目「ユーザ番号１」〜「ユーザ番号８」に格納されるより具体的な値については、後述する。
【０１４３】
例えば、情報管理部１２２は、図１２の（ｂ）に示す視聴ログテーブルにおける項目「Ｎｏ．」が「７１４８９０２３」に関連付けられている各項目を参照し、図１３の（ａ）に示すように、２０１４年９月２５日の６：４５〜７：００の時間帯を示す項目「Ｎｏ．」が「４」の列における項目「ＴＶチャンネル」に、チャンネル番号である「６」を格納する。
【０１４４】
そして、情報管理部１２２は、図１２の（ａ）に示す取得ユーザ情報ログテーブルを参照し、２０１４年６月２５日の６：４５〜７：００の期間、視聴していたユーザを特定する。図１２の（ａ）に示す取得ユーザ情報ログテーブルでは、２０１４年６月２５日の６：４５〜７：００の期間に該当する情報は格納されていないため、登録されているユーザであるユーザ番号１〜ユーザ番号３によって特定されるそれぞれのユーザがテレビ２００を視聴している確率は等しいとして、項目「Ｎｏ．」が「４」の列における項目「ユーザ番号１」〜「ユーザ番号３」には、「３３」を格納する。そのため、図１３の（ａ）では、端末番号「１５５５２０４３」において、２０１４年６月２５日の６：４５〜６：５９の期間、ＴＶチャンネル６をユーザ番号１〜ユーザ番号３によって特定されるそれぞれのユーザが視聴したことが示されている。
【０１４５】
同様に、情報管理部１２２は、図１３の（ａ）に示すように、項目「Ｎｏ．」が「５」〜「８」の列における項目「ＴＶチャンネル」に、チャンネル番号である「４」を格納し、項目「ユーザ番号１」〜「ユーザ番号３」には、「３３」を格納する。
【０１４６】
続いて、情報管理部１２２は、図１２の（ａ）に示す取得ユーザ情報ログテーブルにおける項目「Ｎｏ．」が「５５１３２４」に関連付けられている各項目を参照し、図１３の（ｂ）に示すように、２０１４年９月２５日の８：００〜８：１５を示す項目「Ｎｏ．」が「９」の列における項目「ユーザ番号１」に「１００」を格納し、項目「ユーザ番号２」および項目「ユーザ番号３」にそれぞれ「０」を格納する。そのため、図１３の（ｂ）では、端末番号「１５５５２０４３」において、２０１４年６月２５日の８：００〜８：１５の期間、ＴＶチャンネル４をユーザ番号１によって特定されるユーザが視聴したことが示されている。換言すると、２０１４年６月２５日の８：０１に取得したユーザ情報によって特定されたユーザが、当該時間帯はＴＶを視聴していることを示している。
【０１４７】
さらに、情報管理部１２２は、ユーザを特定するユーザ情報を取得した時点から、所定の時間遡った期間も、当該ユーザがテレビ２００を視聴していたとしてもよい。例えば、所定の期間を３０分、情報管理部１２２がユーザ番号１に関連付けられたユーザを示すユーザ情報を８：００の時点で取得した場合、情報管理部１２２は、８：００から３０分遡った７：３０〜８：００の期間も、上記ユーザが視聴していたとしてもよい。そして、情報管理部１２２は、図１３の（ｂ）に示すように、７：３０〜８：００の時間帯に対応する項目「Ｎｏ．」が「７」および「８」の列における項目「ユーザ番号１」に「１００」、項目「ユーザ番号２」および項目「ユーザ番号３」にそれぞれ「０」を格納する。
【０１４８】
続いて、情報管理部１２２は、図１２の（ｂ）に示す視聴ログテーブルにおける項目「Ｎｏ．」が「７１４８９０２５」に関連付けられている各項目を参照し、図１３の（ｃ）に示すように、２０１４年９月２５日の８：１５〜９：１５の時間帯を示す項目「Ｎｏ．」が「１０」〜「１３」の列における項目「ＴＶチャンネル」に、チャンネル番号である「４」を格納する。
【０１４９】
ここで、情報管理部１２２は、情報管理部１２２は、ユーザを特定するユーザ情報を取得した時点から、所定の時間経過した期間も、当該ユーザがテレビ２００を視聴していたとしてもよい。例えば、所定の期間を３０分とした場合、図１３の（ｃ）に示すように、８：００〜８：３０の時間帯に対応する項目「Ｎｏ．」が「１０」および「１１」の列における項目「ユーザ番号１」に「１００」、項目「ユーザ番号２」および項目「ユーザ番号３」にそれぞれ「０」を格納する。
【０１５０】
また、情報管理部１２２は、ユーザを特定するユーザ情報を取得した後、次の操作情報を取得するまで、当該ユーザがテレビ２００を視聴していたとしてもよい。例えば、視聴チャンネルをチャンネル番号８に変更したことを示す操作情報を９：１５に取得した場合、図１３の（ｄ）に示すように、７：３０〜９：１５の時間帯に対応する項目「Ｎｏ．」が「７」〜「１３」の列における項目「ユーザ番号１」に「１００」、項目「ユーザ番号２」および項目「ユーザ番号３」にそれぞれ「０」を格納する。
【０１５１】
なお、情報管理部１２２が、所定の時間内（例えば、５分以内）に複数のユーザ情報を取得した場合（例えば、図９の（ｃ）に示す図において、複数人のユーザのそれぞれの星座占いの結果の詳細を表示する旨の操作を示す操作情報を、所定の期間内に取得した場合）、最初に取得したユーザ情報によって特定されるユーザが視聴しているとしてもよいし、最後に取得したユーザ情報によって特定されるユーザが視聴しているとしてもよい。
【０１５２】
このように、本実施形態に係る情報管理システム１ａでは、複数のユーザが視聴するテレビ２００であっても、上記複数のユーザのうち何れのユーザが視聴しているかを特定することができる。そのため、複数のユーザが視聴するテレビ２００であっても、複数のユーザのそれぞれに合ったサービスを提供することができる。
【０１５３】
〔実施形態３〕
本発明の他の実施形態について、図１４〜図１６に基づいて説明すれば、以下のとおりである。なお、説明の便宜上、前記実施形態にて説明した部材と同じ機能を有する部材については、同じ符号を付記し、その説明を省略する。
【０１５４】
上述の実施形態では、テレビ２００が表示する、ユーザ情報の入力を促す画面として、ユーザ情報の入力を誘起するコンテンツが含まれている構成について説明したが、本実施形態に係る情報管理システム１ｂでは、ユーザに対して好適なコンテンツの存在を示唆する画面を表示し、ユーザにユーザ情報の登録を促す構成について、説明する。
【０１５５】
情報管理システム１ｂは、サーバ１００ｂ、テレビ２００ｂ、および外部サーバ３００ｂを備えているが、サーバ１００ｂ、テレビ２００ｂ、および外部サーバ３００ｂの構成はそれぞれ、上述したサーバ１００、テレビ２００、および外部サーバ３００と同じ構成であるため、説明は省略する。
【０１５６】
（情報管理システム１ｂの処理）
図１４は、本発明の実施形態３に係る情報管理システム１ｂにおけるテレビ２００ｂの処理の流れを示すフローチャートである。また、図１５は、本発明の実施形態３に係る情報管理システム１ｂにおいて、テレビ２００ｂが図１４に示す処理を実行した後の処理の流れを示すシーケンス図である。まず、本実施形態におけるテレビ２００ｂの処理について、図１４を用いて説明する。
【０１５７】
（ステップＳ３１）
まず、テレビ２００の操作情報取得部２２２は、星座占いの結果を表示させるために、ユーザの星座を取得するためのコンテンツである星座占いコンテンツを表示する旨を示す操作情報を取得する。
【０１５８】
（ステップＳ３２）
続いて、テレビ制御部２２０は、ユーザ情報は未登録であるか否かを判定する。テレビ制御部２２０がユーザ情報は未登録であるか否かを判定する方法として、ユーザ情報取得部２２１がユーザ情報を取得したか否かによって判定する方法や、ユーザ情報取得部２２１が取得したユーザ情報をデータベース（不図示であるが、記憶部１３００であってもよい）に記録し、当該データベースにユーザ情報が記録されている以下否かによって判定する方法が挙げられる。
【０１５９】
（ステップＳ３３）
ステップＳ３２において、「ユーザ情報は未登録である」と判定された場合、表示制御部２２３は、ユーザ情報の登録を促す画面を表示する。ここで、表示制御部２２３が表示する、ユーザ情報の登録を促す画面について、図１６を用いて説明する。図１６は、本発明の実施形態３におけるテレビ２００ｂが表示する画面の例を示す図である。
【０１６０】
表示制御部２２３は、ユーザ情報の登録を促す画面として、所定の星座および所定の星座占いの結果の少なくとも何れかを含む画像を含む画面を表示する。例えば、表示制御部２２３は、図１６の（ａ）に示すように、所定の期間（例えば今週など）において総合運が良い星座、本日の総合運が良い星座を示す画像６０３、今週最も総合運が良い星座の概要を示す画像６０４を含む画像を表示する。この構成により、テレビ２００ｂは、ユーザに対して、ユーザ情報を登録することにより、ユーザ自身の星座の星座占いの結果（ユーザに対して好適なコンテンツの存在）を視聴することができるということを示唆することができる。さらに、ユーザ情報を登録することを示す操作を受け付ける「自分の情報を登録する」ボタン６０１、利用規約を表示する操作を受け付ける「利用規約の表示」ボタン６０２を、上記画像に含める構成が好ましい。
【０１６１】
また、ユーザ情報の登録を促す画面は、ステップＳ３１の前にテレビ２００ｂが表示する構成であってもよい。例えば、テレビ２００ｂは、電源がＯＮされると、図１６の（ｂ）に示すように、所定の星座を含む画像６０５を含んだ画面を表示する構成であってもよい。例えば、表示制御部２２３は、図１６の（ｃ）に示すように、今日の総合運が最も良い星座を示す画像と、今日の総合運が最も良い星座の星座占いの結果を表示する操作を受け付ける「見る」ボタン６０６とを含む画像６０５を含む画像を表示する。
【０１６２】
（ステップＳ３４）
操作情報取得部２２２は、ユーザ情報を登録する旨を示す操作情報を取得したか否かを判定する。
【０１６３】
（ステップＳ３５）
ステップＳ３４において、「ユーザ情報を登録する旨を示す操作情報を取得した」と判定された場合、ユーザ情報取得部２２１は、ユーザ情報を取得する。ユーザ情報の取得は、上述した図６の（ｃ）の画面において取得する構成であってもよい。ユーザ情報取得部２２１は、取得したユーザ情報を情報出力部２３０に出力する。
【０１６４】
（ステップＳ３６）
ステップＳ３２において、「ユーザ情報は登録されている」と判定された場合、または、ステップＳ３５の処理を実行した後、情報出力部２３０は、取得したユーザ情報および端末ＩＤを、テレビ通信部２１０を介してサーバ１００に出力する。
【０１６５】
また、ステップＳ３４において、「ユーザ情報を登録する旨を示す操作情報を取得していない」と判定された場合、図１４に示す処理は終了する。
【０１６６】
続いて、ステップＳ３６の後の処理について、図１５を用いて説明する。
【０１６７】
（ステップＳ３７）
サーバ１００ｂの情報取得部１４０は、サーバ通信部１１０を介して、テレビ２００から出力されたユーザ情報および端末ＩＤを取得する。情報取得部１４０は、取得したユーザ情報および端末ＩＤを、情報管理部１２２に出力する。
【０１６８】
（ステップＳ３８）
情報管理部１２２は、取得したユーザ情報および端末ＩＤが未登録であるか否かを判定する。
【０１６９】
（ステップＳ３９）
ステップＳ３８において、「ユーザ情報および端末ＩＤは未登録である」と判定された場合、情報管理部１２２は、ユーザ情報および端末ＩＤを関連付けて管理する。
【０１７０】
一方、ステップＳ３８において、「ユーザ情報および端末ＩＤは登録済みである」と判定された場合、または、ステップＳ３９の処理を実行後に実行するステップＳ７〜ステップＳ１３の処理は、上述したステップＳ７〜ステップＳ１３の処理と同じであるため、説明は省略する。
【０１７１】
このように、本実施形態に係る情報管理システム１ｂでは、テレビ２００は、ユーザに対して好適なコンテンツの存在を示唆する画面を表示し、ユーザにユーザ情報の登録を促す。そのため、ユーザに対して抵抗感なく個人情報の入力を促すことができる。また、テレビ２００が表示した好適なコンテンツの存在を示唆する画面を提供したうえで取得したユーザ情報と、テレビ２００を特定するための端末ＩＤとを関連付けるため、さらにユーザのユーザ情報を参照してユーザに好適なコンテンツを提供することができる。
【０１７２】
〔実施形態４〕
サーバ１００およびテレビ２００の制御ブロック（特にサーバ制御部１２０およびテレビ制御部２２０）は、集積回路（ＩＣチップ）等に形成された論理回路（ハードウェア）によって実現してもよいし、ＣＰＵ（Central Processing Unit）を用いてソフトウェアによって実現してもよい。
【０１７３】
後者の場合、サーバ１００およびテレビ２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７４】
〔まとめ〕
本発明の態様１に係るサーバ（１００）は、コンテンツを視聴するために入力された、ユーザに関する情報であるユーザ情報を取得するユーザ情報取得部（ユーザ情報サーバ取得部１４１）と、上記コンテンツを提供するコンテンツ提供端末を特定する端末特定情報を取得する端末特定情報取得部（端末ＩＤ取得部１４３）と、上記ユーザ情報取得部が取得したユーザ情報、および上記端末特定情報取得部が取得した端末特定情報を互いに関連付けて管理する管理部（情報管理部１２２）と、を備えており、上記ユーザ情報は、上記ユーザに対して好適なコンテンツの存在を示唆する画面を上記コンテンツ提供端末が当該ユーザに提供したうえで取得された情報である。
【０１７５】
上記の構成によれば、サーバは、ユーザに対して好適なコンテンツの存在を示唆する画面をコンテンツ提供端末が提供したうえで取得したユーザ情報を取得する。そのため、ユーザに対して抵抗感なく個人情報の入力を促すことができる。また、コンテンツ提供端末が表示した好適なコンテンツの存在を示唆する画面を提供したうえで取得したユーザ情報と、コンテンツ提供端末を特定するための端末ＩＤとを関連付けるため、さらにユーザのユーザ情報を参照してユーザに好適なコンテンツを提供することができる。
【０１７６】
本発明の態様２に係るサーバは、上記態様１において、上記ユーザ情報の入力を誘起する画面であって、上記ユーザに対して好適なコンテンツの存在を示唆する画面であるユーザ情報入力画面を上記コンテンツ提供端末に提供する入力画面出力部（コンテンツ管理部１２１）をさらに備え、上記ユーザ情報取得部は、上記ユーザ情報入力画面を上記コンテンツ提供端末が提供したうえで取得されたユーザ情報を取得してもよい。
【０１７７】
上記の構成によれば、サーバは、ユーザ情報の入力を誘起する画面をコンテンツ提供端末に提供する。そのため、ユーザに対して抵抗感なく個人情報の入力を促すことができる。
【０１７８】
本発明の態様３に係るサーバは、上記態様１または２において、上記コンテンツ提供端末に対する操作を示す操作情報を取得する操作情報取得部（操作情報サーバ取得部１４２）と、上記管理部が互いに関連付けて管理している上記ユーザ情報および上記端末特定情報と、上記操作情報とを処理する情報処理部（１２３）と、をさらに備え、上記情報処理部は、上記操作情報を、上記操作情報が示す操作ごとに集計してもよい。
【０１７９】
上記の構成によれば、サーバは、入力されたユーザ情報、操作情報、および端末特定情報を関連付けることにより、例えば、年齢別のテレビ番組視聴ランキングといった、ユーザにとって有用なサービスも提供することができる。
【０１８０】
本発明の態様４に係るサーバは、上記態様３において、上記管理部は、更に、上記コンテンツ提供端末を操作中のユーザを特定するものであり、当該管理部は、上記操作情報取得部が取得した操作情報を参照して、上記コンテンツ提供端末を操作中のユーザを特定してもよい。
【０１８１】
上記の構成によれば、サーバは、コンテンツ提供端末を複数のユーザが視聴する構成であっても、操作情報を参照することにより、ユーザを特定することができる。
【０１８２】
本発明の態様５に係るサーバは、上記態様１〜４の何れかにおいて、上記管理部が上記ユーザ情報および上記端末特定情報を互いに関連付けて管理することを許可するか否かを示す管理許可情報を取得する管理許可情報取得部（情報取得部１４０）をさらに備え、上記管理許可情報取得部が取得した管理許可情報が、上記管理部が上記ユーザ情報および上記端末特定情報を互いに関連付けて管理することを許可しないことを示す場合、上記管理部は、上記ユーザ情報および上記端末特定情報を互いに関連付けて管理しなくてもよい。
【０１８３】
上記の構成によれば、サーバは、ユーザ情報および端末特定情報を互いに関連付けて管理することを許可しないことを示す管理許可情報を取得すると、ユーザ情報および端末特定情報を互いに関連付けて管理しない。そのため、コンテンツを視聴するために入力したユーザ情報を他のサービスに使用することを望まないユーザに対しても、抵抗感なく個人情報の入力を促すことができる。
【０１８４】
本発明の態様６に係るサーバは、上記態様１〜５の何れかにおいて、上記ユーザ情報は、黄道１２星座のうち、ユーザの誕生日に太陽が位置していた星座、ユーザの姓名、ユーザの性別、ユーザの生年月日、ユーザの血液型、およびユーザの趣味の少なくとも何れかを示す情報であってもよい。
【０１８５】
上記の構成によれば、サーバは、星占い、姓名判断、生年月日を基にした占い、血液型占いといった占いの結果や、ユーザの趣味に合わせたサービスを提供するために、それぞれユーザの星座、姓名、性別、生年月日、血液型、および趣味を示す情報を取得する。そのため、ユーザに対して抵抗感なく個人情報の入力を促すことができる。
【０１８６】
本発明の態様７に係る情報管理方法は、コンテンツを視聴するために入力された、ユーザに関する情報であるユーザ情報を取得するユーザ情報取得工程と、上記コンテンツを提供するコンテンツ提供端末を特定する端末特定情報を取得する端末特定情報取得工程と、上記ユーザ情報取得工程において取得されたユーザ情報、および上記端末特定情報取得工程において取得された端末特定情報を互いに関連付けて管理する管理工程と、を含み、上記ユーザ情報は、上記ユーザに対して好適なコンテンツの存在を示唆する画面を上記コンテンツ提供端末が当該ユーザに提供したうえで取得された情報である。
【０１８７】
上記の構成によれば、態様１に係るサーバと同じ効果を奏する。
【０１８８】
本発明の態様８に係る情報管理システム（１）は、コンテンツ提供端末（テレビ２００）およびサーバ（１００）を備える情報管理システムであって、上記コンテンツ提供端末は、コンテンツを視聴するためにユーザが入力したユーザに関する情報であるユーザ情報を取得するユーザ情報端末取得部（ユーザ情報取得部２２１）と、上記ユーザ情報端末取得部が取得したユーザ情報、および上記コンテンツ提供端末を特定するための端末特定情報のうち、少なくとも何れかをサーバに出力する情報出力部（２３０）と、を備え、上記ユーザ情報は、上記ユーザに対して好適なコンテンツの存在を示唆する画面を上記コンテンツ提供端末が当該ユーザに提供したうえで取得された情報であり、上記サーバは、上記コンテンツ提供端末からユーザ情報を取得するユーザ情報サーバ取得部（１４１）と上記コンテンツ提供端末から端末特定情報を取得する端末特定情報取得部（端末ＩＤ取得部１４３）と、上記ユーザ情報サーバ取得部が取得したユーザ情報、および上記端末特定情報取得部が取得した端末特定情報を互いに関連付けて管理する管理部（情報管理部１２２）と、を備える。
【０１８９】
上記の構成によれば、態様１に係るサーバと同じ効果を奏する。
【０１９０】
本発明の態様９に係るコンテンツ提供端末（テレビ２００）は、ユーザに対して好適なコンテンツの存在を示唆する画面を当該ユーザに提供するユーザ情報入力コンテンツを取得するコンテンツ取得部（表示制御部２２３）と、上記コンテンツ取得部が取得したユーザ情報入力コンテンツを提供するコンテンツ提供部（表示制御部２２３）と、上記コンテンツ提供部が上記画面を上記ユーザに提供したうえで、上記コンテンツを視聴するために入力された、ユーザに関する情報であるユーザ情報を取得するユーザ情報取得部（ユーザ情報取得部２２１）と、上記ユーザ情報取得部が取得したユーザ情報、および自端末を特定するための端末特定情報のうち、少なくとも何れかを出力する情報出力部（２３０）と、を備える。
【０１９１】
上記の構成によれば、態様１に係るサーバと同じ効果を奏する。
【０１９２】
本発明の各態様に係るサーバ（１００）またはコンテンツ提供端末（テレビ２００）は、コンピュータによって実現してもよく、この場合には、コンピュータを上記サーバまたはコンテンツ提供端末が備える各部として動作させることにより上記サーバまたはコンテンツ提供端末をコンピュータにて実現させるサーバまたはコンテンツ提供端末の制御プログラム、およびそれを記録したコンピュータ読み取り可能な記録媒体も、本発明の範疇に入る。
【０１９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９４】
本発明は、個人情報を参照した個別のサービスを提供するシステムに利用することができる。
【符号の説明】
【０１９５】
１、１ａ、１ｂ  情報管理システム
１００、１００ｂ  サーバ
１１０  サーバ通信部
１２０  サーバ制御部
１２１  コンテンツ管理部（コンテンツ出力部、入力画面出力部）
１２２  情報管理部（管理部）
１２３  情報処理部
１３０  データベース
１４０  情報取得部（管理許可情報取得部）
１４１  ユーザ情報サーバ取得部（ユーザ情報取得部）
１４２  操作情報サーバ取得部（操作情報取得部）
１４３  端末ＩＤ取得部（端末特定情報取得部）
２００、２００ｂ  テレビ（コンテンツ提供端末）
２１０  テレビ通信部
２２０  テレビ制御部
２２１  ユーザ情報取得部（ユーザ情報端末取得部）
２２２  操作情報取得部（操作情報端末取得部）
２２３  表示制御部（コンテンツ取得部、コンテンツ提供部）
２２４  放送番組受信部
２３０  情報出力部
２３１  ユーザ情報出力部
２３２  操作情報出力部
２３３  端末ＩＤ出力部
３００、３００ｂ  外部サーバ
３１０  外部サーバ通信部
３２０  コンテンツ取得部
３３０  コンテンツデータベース
【図１】
0006537804.tif 000002
【図２】
0006537804.tif 000003
【図３】
0006537804.tif 000004
【図４】
0006537804.tif 000005
【図５】
0006537804.tif 000006
【図６】
0006537804.tif 000007
【図７】
0006537804.tif 000008
【図８】
0006537804.tif 000009
【図９】
0006537804.tif 000010
【図１０】
0006537804.tif 000011
【図１１】
0006537804.tif 000012
【図１２】
0006537804.tif 000013
【図１３】
0006537804.tif 000014
【図１４】
0006537804.tif 000015
【図１５】
0006537804.tif 000016
【図１６】
0006537804.tif 000017